(57)【要約】【課題】狭く長い距離であっても容易に配管の施設を行うことのできる配管施設方法を提供する。【解決手段】  採光部材と、採光部材に接続する導線と、を備えた光スコープの先端近傍に配管の先端近傍を固定し、光スコープを入口から挿入し、光スコープ及び配管を操作して出口からとりだすことによって、入口と前記出口の間に配管を施設する配管施設方法とする。この場合において、光スコープは、先端に、配管を取り付けるアタッチメントを備えており、アタッチメントに配管を取り付けて固定し、光スコープを入口から挿入することが好ましい。【選択図】図１
2018189171.tif 000002
【特許請求の範囲】
【請求項１】
採光部材と、前記採光部材に接続する導線と、を備えた光スコープの先端近傍に配管の先端近傍を固定し、
前記光スコープを入口から挿入し、前記光スコープ及び前記配管を操作して出口からとりだすことによって、前記入口と前記出口の間に配管を施設する配管施設方法。
【請求項２】
前記光スコープは、先端に、前記配管を取り付けるアタッチメントを備えており、前記アタッチメントに前記配管を取り付けて固定し、前記光スコープを入口から挿入する請求項１記載の配管施設方法。
【請求項３】
前記光スコープの前記導線は、導光部材と、前記導光部材を取り巻く剛性体と、前記剛性体を取り巻く被覆材と、を備えた光ファイバケーブルであり、
前記採光部材は、前記光ファイバケーブルの前記導光部材に光を集光する採光部材と、前記採光部材を前記導光部材に対し相対的に固定する固定部材と、を有する請求項１記載の配管施設方法。
【請求項４】
前記光スコープの前記導線は、導電体と、前記導電体を取り巻く剛性体と、前記剛性体を取り巻く被覆材と、を備えた電線であり、
前記光検出部は、入射された光を電気信号に変換することのできる撮像装置である請求項１記載の配管施設方法。
【発明の詳細な説明】
【技術分野】
【０００１】
本発明は、配管施設方法に関する。
【背景技術】
【０００２】
一般家庭や集合住宅等の住宅、オフィスビル等の建築物においては、その内部に電気や水等を供給する電気配線や水道配管等が床下や壁内において複雑に張り巡らされている。
【０００３】
これら配線の一部は当該建築物の建築作業と同時に施設されるものであるが、経年劣化等に伴う補修によって、また新規な設備導入によって新たに施設しなければならない場合がある。
【発明の概要】
【発明が解決しようとする課題】
【０００４】
しかしながら、配管は非常に細く長いものであって、長い距離そのまま通すことは容易ではない。さらに、建築物の床下等は狭く、さらに、一般に照明施設はないため、目で確認しつつ作業を行うことは極めて困難であり、入口から出口まで配管を施設することは極めて困難である。
【０００５】
そこで、本発明は上記課題に鑑み、狭く長い距離であっても容易に配管の施設を行うことのできる配管施設方法を提供することを目的とする。
【課題を解決するための手段】
【０００６】
本発明の一観点に係る配管施設方法は、採光部材と、前記採光部材に接続する導線と、を備えた光スコープの先端近傍に配管の先端近傍を固定し、光スコープを入口から挿入し、光スコープ及び配管を操作して出口からとりだすことによって、入口と前記出口の間に配管を施設する。
【発明の効果】
【０００７】
以上、本発明によって、狭く長い距離であっても容易に配管の施設を行うことのできる配管施設方法を提供することができる。
【図面の簡単な説明】
【０００８】
【図１】実施形態に係る配管施設方法の概略を示す図である。
【図２】実施形態に係る配管施設具の先端の概略を示す図である。
【図３】実施形態に係る配管施設具の断面の概略を示す図である。
【図４】他の実施形態に係る配管施設具の先端の断面の概略を示す図である。
【発明を実施するための最良の形態】
【０００９】
以下、本発明の実施形態について図面を用いて詳細に説明する。ただし、本発明は多くの異なる形態による実施が可能であり、以下に示す実施形態における具体的な例示にのみ限定されるわけではない。
【００１０】
（実施形態１）
図１は、本実施形態に係る配管施設方法（以下「本方法」という。）の概略を示す図であり、図２は、本方法で用いる配管施設具（以下「本施設具」という。）１の先端近傍の概略を示す図であり、図３は配管施設具１の断面の概略図である。
【００１１】
これらの図で示すように本方法は、光スコープ２の先端近傍２１に配管の先端近傍を固定し、光スコープ２を施設対象箇所の入口から挿入し、光スコープ２及び配管を操作して施設対象箇所の出口から取り出すことによって、入口と出口の間に配管を施設するものである。具体的に施設対象箇所としては限定されるわけではないが、例えば上記の図で示すような建物における天井裏、又は床下といった狭い暗所であることが好ましい。
【００１２】
本方法において、光スコープ２は、柔軟性のある導線である光ファイバコード２２と、その両端に配置される採光部材２１及び出光部材２３を備え、一方の端の光を他方の端に伝えることのできるものである。
【００１３】
また本方法における光スコープ２において、光ファイバコード２２は、上記の機能を有するものである限りにおいて限定されるわけではないが、導光部材２２１と、この導光部材２２１を取り巻く剛性体２２２と、剛性体を取り巻く被覆材２２３と、を備えたものであることが好ましい。
【００１４】
本光ファイバコード２２において導光部材２２１は光ファイバコード２２の本質的な機能を備える本体部分（光ファイバ）であり、コアとコアの周囲に配置されるクラッドを備え、クラッドよりもコアの屈折率を高くすることで全反射や屈折を用いてコア内に光を閉じ込め、先端側から後端側まで光を導くことができるものである。なお、コア及びクラッドは、伝達する光に対して透過性の高い石英ガラス又はプラスチックで構成されたものである。
【００１５】
また本方法における光ファイバコード２２において導光部材２２１の周囲には、これを取り巻く剛性体２２２が配置されていることが好ましい。導光部材２２１自体は比較的硬い材質であるが外部からの衝撃に弱く、また、導光部材２２１の長さを長くした場合、光ファイバコード２２を送り出すことになるがこの強度が十分でないと先端近傍を所望の方向に送り出して進めることができず、光ファイバコード２２のみ膨れた軌道を形成するだけとなってしまう。そこで、剛性体２２２を周囲に配置し被覆させることで、多少の障害物により抵抗を受けたとしても送り出して進めることができるようになる。なお、この剛性体２２２の材質としては特に制限されるわけではないが、金属又は高いプラスチックであることは好ましい一例である。
【００１６】
また本方法において用いる光ファイバコード２２の導光部材２２１の周囲、より具体的には剛性体２２２の周囲にはさらに保護被膜２２３が形成されている。これにより、外部からの衝撃を和らげ、導光部材２２１が破損してしまうことを防止することができる。
【００１７】
また、光スコープ２の光ファイバコードの一方の端部（先端）に配置される先端の採光部材２１は、レンズ２１１とこの周囲に配置され、レンズ２１１と光ファイバとの接続関係を固定するための固定部材２１２が配置されている。このように固定部材を配置することで、上記のように光ファイバとの接続関係を固定することができるだけでなく、外部からの衝撃を防ぐことが可能となる。
【００１８】
また、光スコープ２の他方の端部には、上記の通り出光部材２３を設けている。この出光部材２３の構造も上記採光部材と同様の構成であり、レンズ３３１と、このレンズ２３１及び光ファイバとの接続関係を固定するための固定部材２３２が配置されている。なお、出光部材側は、挿入する側ではなく、挿入した先端側の光を出力する側であるため、より大きな倍率の大きな広角レンズであることは好ましい。
【００１９】
また、光ファイバコード２２の断面形状としては、円形状であってもよいが、多角形状、より具体的には四角形上、さらに具体的には長方形であることが好ましい。光ファイバコード２２を天井等の見えない空間に挿入すると、どの方向に光ファイバを進めているのかがわかりにくい状態が発生する。そのため、断面を多角形状とすることで、現在どの方向に光ファイバコードが進んでいるのか、向いているのかが判断しやすくなる。特に、断面形状が長方形であると、手元で回転させつつ押し出すことにより、先端の方向の制御を行いつつ押し出すことができるようになる。具体的には、手元でコードを右にひねると先端を右に旋回及び送り出しやすくなり、反対に左にひねると先端を左に旋回及び送り出しやすくなる。また、長方形とすることにより、長軸方向には強く力を食わることが可能となり、引っかかった場合により横方向に大きな力を加えることができ、短軸方向に力を加えることで、光ファイバコード２２を波打たせて先端を上下させて、段差などを乗り越えさせることが可能となる。
【００２０】
また、本方法において、光ファイバコード２２の長さは、施設する配管の長さに応じて適宜可能であり限定されるわけではないが、例えば５ｍ以上３０ｍ以下であることが好ましい。
【００２１】
また光スコープ２には、先端に、配管を取り付けるアタッチメント３を備えていることも好ましい。アタッチメント３を備えることで、このアタッチメントに配管を取り付けて固定することが可能となる。この結果、光スコープを入口から挿入する場合において、配管を確実に保持し、出口側まで安定的に導くことができる。アタッチメントとしては、上記の図で示すように別途の部材を光ファイバコード２２の周囲に配置してもよいが、採光部材２１に取り付けてもよく、またアタッチメント３を備えず、粘着テープで配管を光ファイバコード２２や採光部材２１に直接巻き付けてもよい。
【００２２】
なお、本アタッチメント３は、限定されるわけではないが、光ファイバコード２２又は採光部材２１の周囲に固定配置される固定部材３１と、この固定部材に配置される爪部材３２とを備えていることが好ましい。この結果、爪部材３２によって配管を固定することで配管を固定し、光ファイバコードを進めると同時に配管も進めることができる。この爪部材３２を設けることで、光ファイバコードに配管を設置しやすくする一方、出口から配管を出した後は容易に光ファイバコードから離すことが可能となる。
【００２３】
またこの場合において、配管の周囲に、引掛部材４を付しておくことが好ましく、より具体的には、引掛部材４と配管の先端部との間に上記爪部材３２が配置されるよう、引掛部材４を配置しておくことが好ましい。このようにすることで、光スコープを推し進める一方、配管に抵抗がかかったとしても、引掛部材４が爪部材３２と接触し、配管を推し進める側に力を加えることができるようになり、アタッチメント３から抜けてしまうことを防止することが可能となる。
【００２４】
また、本光スコープの各部材、具体的には採光部材２１、アタッチメント２、出光部材２３の各部材の角部は、丸みを帯びた形状、及び、光ファイバコードと段差なくなだらかになっている形状の少なくともいずれかであることが好ましい。このようにしておくことで、天井等の暗所に推し進める場合に障害物が存在していたとしても引っ掛かりを少なくして押し進めることが可能となるといった利点がある。
【００２５】
（実施形態２）
本実施形態は、ほぼ上記実施形態１と同様であるが、上記実施形態１では導線が光ファイバコードであったのに対し、本実施形態では導電体２２１と、この導電体２２１を取り巻く剛性体２２２と、剛性体２２２を取り巻く被覆材２２３と、を備えた電線２２である点、更には、この導線に接続された採光部材２１が、入射された光を電気信号に変換することのできる撮像装置２１１である点が主として異なる。本実施形態における光スコープの先端の断面概略を図４に示しておく。
【００２６】
本図で示すように、導線を電線とすることで、破損しやすい光ファイバではなく、剛性の高い金属などを安定的に使用することができ、導線自体の軽量化、小型化を図ることができるとともに破損しにくくなるといった利点がある。また、先端の採光部材も撮像装置とすることでより小型化することが可能となり、引っかかりにくくなるといった利点がある。また、剛性体自身が導電体（導電線自身）である場合等は、これらを一体としておくことも可能である。
【００２７】
なお、本実施形態でいう撮像装置２１１とは、光の入力を受け、この光の入力に基づき電気的な信号を出力することのできる装置であって、光電変換素子（ＣＣＤ）であることが好ましい一例である。そして、この場合に出光部材は、電気的に接続されたモニタ装置であることが好ましい。このようにすることで、採光部材により取得された電気信号を画像として認識することができるようになる。
【産業上の利用可能性】
【００２８】
本方法は、配管施設方法及びこれに用いられる配管施設具として産業上の利用可能性がある。
【図１】
2018189171.tif 000003
【図２】
2018189171.tif 000004
【図３】
2018189171.tif 000005
【図４】
2018189171.tif 000006